【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
バックライトアセンブリの導光板の上に配置される光学シートにおいて、
下部から光の入射されるベースフィルムと、
前記ベースフィルムの上に相互離隔するように突出され、前記ベースフィルムの下部から入射される光の正面輝度を向上させる複数のプリズムパターンと、
前記プリズムパターンの間に配置され、前記ベースフィルムに平行な拡散面を有し、前記拡散面の上に配置されて前記下部から入射される光の輝度均一性を向上させる複数の拡散ドットを具備する拡散部材と、を含むことを特徴とする光学シート。
【請求項２】
前記各拡散ドットは、リセスを含むことを特徴とする請求項１に記載の光学シート。
【請求項３】
前記リセスは、半球形、半楕円球形、または多角ピラミッドの形状であることを特徴とする請求項２に記載の光学シート。
【請求項４】
前記各拡散ドットは、突出部を含むことを特徴とする請求項１に記載の光学シート。
【請求項５】
前記突出部は、半球形、半楕円球形、または多角ピラミッドの形状であることを特徴とする請求項４に記載の光学シート。
【請求項６】
前記拡散部材は、前記プリズムパターンと同一な物質を含むことを特徴とする請求項１に記載の光学シート。
【請求項７】
前記拡散面の高さがプリズムパターンの高さより低いことを特徴とする請求項１に記載の光学シート。
【請求項８】
前記拡散部材に対応する拡散領域と前記プリズムパターンに対応するプリズム領域との間に定義される補助拡散領域内に配置され、前記プリズムパターン及び前 記拡散部材と同一な物質を含み、前記プリズムパターン及び前記拡散部材と一体に形成されて入射された光を屈折または反射させる補助拡散部材を更に含むこと を特徴とする請求項１に記載の光学シート。
【請求項９】
前記補助拡散部材は、前記プリズムパターンと平行である方向に延長される曲面形状を有することを特徴とする請求項８に記載の光学シート。
【請求項１０】
前記各プリズムパターンが３角ないし３２角形の断面形状を有することを特徴とする請求項１に記載の光学シート。
【請求項１１】
前記各プリズムパターンの下辺が前記ベースフィルムに平行な梯形、五角形、または七角形の形状を有することを特徴とする請求項１０に記載の光学シート。
【請求項１２】
前記各プリズムパターンの断面が二等辺三角形の形状を有し、前記二等辺三角形の頂角は１°〜１７９°であることを特徴とする請求項１０に記載の光学シート。
【請求項１３】
平面上から見たとき、隣接する拡散ドットの中心が三角形の形状に配列されることを特徴とする請求項１に記載の光学シート。
【請求項１４】
平面上から見たとき、隣接する拡散ドットの中心が四角形の形状に配列されることを特徴とする請求項１に記載の光学シート。
【請求項１５】
前記各プリズムパターン及び前記拡散ドットの表面上にスクラッチまたはクラックを形成して前記光学シートの輝度均一性、視野角、及び半値角を向上させることを特徴とする請求項１に記載の光学シート。
【手続補正２】
【補正対象書類名】明細書
【補正対象項目名】発明の名称
【補正方法】変更
【補正の内容】
【発明の名称】光学シート
【手続補正３】
【補正対象書類名】明細書
【補正対象項目名】０００７
【補正方法】変更
【補正の内容】
【０００７】
他の実施例による光学シートは、バックライトアセンブリの導光板の上に配置される光学シートにおいて、下部から光の入射されるベースフィルムと、前記ベースフィルムの上に相互離隔するように突出され、前記ベースフィルムの下部から入射される光の正面輝度を向上させる複数のプリズムパターンと、前記プリズムパターンの間に配置され、前記ベースフィルムに平行な拡散面を有し、前記拡散面の上に配置されて前記下部から入射される光の輝度均一性を向上させる複数の拡散グルーブを具備する拡散部材と、を含む。前記各プリズムパターンの表面上にスクラッチまたはクラックを形成して前記光学シートの輝度均一性、視野角、及び半値角を向上させる。
【手続補正４】
【補正対象書類名】明細書
【補正対象項目名】０００８
【補正方法】変更
【補正の内容】
【０００８】
他の実施例による光学シートは、バックライトアセンブリの導光板の上に配置される光学シートにおいて、プリズム領域、拡散領域、及び前記プリズム領域と前記拡散領域との間に配置される補助拡散領域が定義されるベースフィルムと、前記ベースフィルム上の前記プリズム領域内に相互離隔するように配置される傾斜面によって形成される直角三角形の形状を有する複数のプリズムパターンと、前記ベースフィルム上の前記拡散領域内に配置され、前記プリズムパターンのうち、隣接するプリズムパターンの隣接する下辺の間に配置され、前記ベースフィルムに平行な拡散面を有し、前記拡散面上に配置される複数の拡散ドットを具備する拡散部材と、前記補助拡散領域内に配置され、前記プリズムパターン及び前記拡散部材と同一な物質を含み、前記プリズムパターン及び前記拡散部材と一体に形成され、前記 プリズムパターンのうち、隣接するプリズムパターンの隣接する上辺の間に配置され、入射された光を屈折または反射させる補助拡散部材と、を含む。前記補助拡散部材は、前記プリズムパターンに平行な方向に延長する曲面形状の補助拡散面を有し、前記補助拡散面上に配置される複数の補助拡散ドットを具備する。前記各補助拡散ドットは、半球形突出部を含む。前記各プリズムパターン及び前記拡散ドットの表面上にスクラッチまたはクラックを形成して前記光学シートの輝度均一性、視野角、及び半値角を向上させる。
【手続補正５】
【補正対象書類名】明細書
【補正対象項目名】０００９
【補正方法】変更
【補正の内容】
【０００９】
他の実施例による光学シートは、バックライトアセンブリの導光板の上に配置される光学シートにおいて、第１ベースフィルムと、前記第１ベースフィルム上に配置され、前記第１ベースフィルムに平行な方向に配列された複数の空気トンネルと、前記第１ベースフィルムの上面に付着され、前記空気トンネルの側面を定義する複数のプリズムパターン、及び前記プリズムパターンの上部エッジをカバーして前記空気トンネルの上面を定義する有機膜を含む光調節フィルムを含み、前記各空気トンネルの側面エッジが面取りされたことを特徴とする。前記各空気トンネルは、三角プリズムの形状を有する。前記各プリズムパターンの両側面を延長して形成される仮想エッジの深さは、前記有機膜の厚さより薄いことを特徴とする。前記光調節フィルムは、前記プリズムパターンと前記有機膜の境界部に前記空気トンネルに平行な方向に形成されて光を拡散させる曲面部を更に含む。前記光調節フィルムは、隣接するプリズムパターンの間に配置されて光を拡散させる拡散部を更に含む。前記拡散部は、複数の半球形突出部を含む。前記光調節フィルムは、前記第１ベースフィルムの上面に付着され、前記空気トンネルの側面を定義する複数のプリズムパターンと、前記プリズムパターンの上部エッジをカバーして前記空気トンネルの上面を定義する有機膜と、隣接するプリズムパターンの間に配置されて光を拡散させる拡散部と、を更に含み、前記拡散部は、複数の半球形リセスを含む。前記光調節フィルムは、前記第１ベースフィルムの上面に付着され、前記空気トンネルの側面を定義する複数のプリズムパターンと、前記プリズムパターンの上部エッジをカバーして前記空気トンネルの上面を定義する有機膜と、隣接するプリズムパターンの間に配置されて光を拡散させる拡散部と、を更に含み、前記拡散部は、ピラミッド形状を有する複数の突出部を含む。前記光調節フィルムは、前記第１ベースフィルムの上面に付着され、前記空気トンネルの側面を定義する複数のプリズムパターンと、前記プリズムパターンの上部エッジをカバーして前記空気トンネルの上面を定義する有機膜と、隣接するプリズムパターンの間に配置されて光を拡散させる拡散部と、を更に含み、前記拡散部は、ピラミッド形状を有する複数のリセスを含む。前記光調節フィルムは、前記第１ベースフィルムの上面に付着され、前記空気トンネルの側面を定義する複数のプリズムパターンと、前記プリズムパターンの上部エッジをカバーして前記空気トンネルの上面を定義する有機膜と、隣接するプリズムパターンの間に配置されて光を拡散させる拡散部と、を更に含み、前記拡散部は、前記プリズムパターンと同一な方向に延長する補助プリズムを含む。前記有機膜は、前記プリズムパターンと同一な物質を含む。前記有機膜は、光硬化性物質を含む。前記光調節フィルムは、隣接する空気トンネルの間に配置される複数のエアーカプセルを更に含む。前記エアーカプセルは、前記隣接する空気トンネルの側面エッジに沿って配列される。前記光調節フィルム上に配置され、前記光調節フィルムを保護する第２ベースフィルムと、拡散粒子、及び前記拡散粒子を前記第２ベースフィルムの上面に付着する樹脂を含む拡散層と、を更に含む。前記光調節フィルム上に配置され、前記光調節フィルムを保護する第２ベースフィルムと、前記第２ベースフィルム上に配置され、前記空気トンネルに交差する方向に延長される上部プリズムパターンと、を更に含む。前記空気トンネルの断面は、馬蹄形状を有する。前記光調節フィルムは、隣接するプリズムパターンの間に配置され、光を拡散させる拡散部を更に含み、前記拡散部は、前記プリズムパターンと同一な方向に延長される補助プリズムを含む。前記光調節フィルム上に配置され、前記光調節フィルムを保護する第２ベースフィルムと、前記第２ベースフィルム上に配置され、前記空気トンネルに交差する方向に延長され、断面が馬蹄形状を有する光調節パターンと、を更に含む。前記光調節フィルム上に配置され、前記光調節フィルムを保護する第２ベースフィルムと、前記第２ベースフィルム上に配置され、前記第２ベースフィルムに平行な方向に配列された複数の第２空気トンネルを含む第２光調節フィルムと、を更に含む。前記第２光調節フィルム上に配置され、前記第２光調節フィルムを保護する第３ベースフィルムを更に含む。前記光学シートは、４枚以上のベースフィルム及び前記ベースフィルム間の配置される３枚以上の光調節フィルムを含む多層構造を有する。
【手続補正６】
【補正対象書類名】明細書
【補正対象項目名】００１０
【補正方法】変更
【補正の内容】
【００１０】
他の実施例によるバックライトアセンブリの導光板上に配置される光学シートの製造方法は、第１ベースフィルム上に相互平行な方向に延長される複数のプリズムパターンを形成する段階と、第２ベースフィルム上にコーティング層をコーティングする段階と、前記コーティング層が前記プリズムパターンに向い合うように前記第２ベースフィルムを前記ベース基板上に整列する段階と、前記第２ベースフィルムを前記第１ベースフィルムの方向に加圧して前記プリズムパターンの上部を前記コーティング層内に挿入する段階と、前記コーティング層を硬化させて有機膜を形成する段階と、を含む。前記コーティング層の一部を表面張力によって前記プリズムパターンの側面に拡散させて前記プリズムパターンと前記コーティング層の境界に曲面部を形成する段階を更に含む。前記コーティングされたコーティング層に光を照射する段階を更に含む。前記プリズムパターンを形成する段階は、隣接するプリズムパターンの間に拡散部を形成する段階を更に含む。前記コーティング層は、光硬化性物質を含む。前記プリズムパターンは、上部に複数のリセスを含む。
【手続補正７】
【補正対象書類名】明細書
【補正対象項目名】００１１
【補正方法】変更
【補正の内容】
【００１１】
他の実施例によるバックライトアセンブリの導光板の上に配置される光学シートは、第１ベースフィルムと、前記第１ベースフィルムの上に配置され、前記第１ベースフィルムに平行な方向に配列された複数のグルーブ及び隣接するグルーブの間の接触部を含む粘着層と、前記接触部に粘着され、前記グルーブをカバーする第２ベースフィルムと、を含む。前記粘着層は、外部圧力によって前記第２ベースフィルムとの粘着力が増加する圧力感知（Ｐｒｅｓｓｕｒｅ−Ｓｅｎｓｉｔｉｖｅ）物質を含む。前記接触部の中央部には圧縮応力が印加され、前記接触部の周辺部には引張応力が印加される。前記隣接するグルーブ及び前記接触部がプリズムパターンを形成し、隣接するプリズムパターンの間に配置され、突起、リセス、またはグルーブ形状を有する拡散部を更に含む。前記接触部は、複数のリセスを含み、前記リセスと前記第２ベースフィルムによって複数の拡散カプセルが形成される。前記第２ベースフィルムは、上部に複数のプリズムパターンが形成される。前記第２ベースフィルムは、下部に屈折率を向上させ、前記粘着層との粘着力を増加させるプライマーコーティング膜を更に含む。
【手続補正８】
【補正対象書類名】明細書
【補正対象項目名】００１２
【補正方法】変更
【補正の内容】
【００１２】
他の実施例によるバックライトアセンブリの導光板の上に配置される光学シートは、第１ベースフィルムと、前記第１ベースフィルムの上に配置され、互いに平行な方向に配列された複数の第１グルーブ及び隣接する第１グルーブ間の第１接触部を含む第１粘着層と、前記第１粘着層の前記第１接触部の上に粘着され、前記第１グルーブをカバーする第２ベースフィルムと、前記第２ベースフィルムの上に配置され、互いに平行な方向に配列された複数の第２グルーブ及び隣接する第２グルーブ間の第２接触部を含む第２粘着層と、前記第２粘着層の前記第２接触部の上に粘着され、前記第２グルーブをカバーする第３ベースフィルムと、を含む。前記第１ベースフィルムの下面上に配置された複数のドットパターンを含む。前記ドットパターンは、互いに離隔して配置される。前記第３ベースフィルムの上面上に配置された複数のドットパターンを含む。前記ドットパターンは、互いに隣接するように配置される。前記隣接する第１グルーブは、第１プリズムパターンを定義し、前記第１粘着層は、隣接する第１プリズムパターン間に配置される第１補助光学部を更に含む。前記第１補助光学部は、第１補助プリズムパターンを更に含む。前記隣接する第２グルーブは、第１プリズムパターンを定義し、前記第２粘着層は、隣接する第２プリズムパターン間に配置される第２補助光学部を更に含む。前記第２補助光学部は、第２補助プリズムパターンを更に含む。
【手続補正９】
【補正対象書類名】明細書
【補正対象項目名】００１３
【補正方法】変更
【補正の内容】
【００１３】
他の実施例によるバックライトアセンブリの導光板の上に配置される光学シートの製造方法は、第１ベースフィルムの上に粘着液を塗布して粘着コーティング層を形成する段階と、前記粘着コーティング層をパターニングして前記第１ベースフィルムに平行な方向に配列された複数のグルーブ及び隣接するグルーブ間の接着部を形成する段階と、第２ベースフィルムを前記粘着コーティング層の前記接触部に粘着して前記グルーブをカバーする段階と、を含む。前記粘着コーティング層をパターニングする段階の前に、前記粘着液の粘度を増加させる段階を更に含む。前記グルーブ及び前記接触部を形成する段階は、前記接触部上に凹凸を形成して前記接触部の粗さを増加させる段階を更に含む。前記グルーブ及び前記接触部を形成する段階は、前記接触部の中央部を周辺部より突出させる。前記第２ベースフィルムを前記粘着コーティング層の前記接触部に粘着するうち、前記第２ベースフィルムによって前記接触部の前記中央部には圧縮応力が印加され、前記接触部の前記周辺部には引張応力が印加される。前記第２ベースフィルムを前記粘着コーティング層の前記接触部に粘着する段階は、前記第２ベースフィルムを前記粘着コーティング層の方向に加圧する段階を更に含む。
【手続補正１０】
【補正対象書類名】明細書
【補正対象項目名】００１４
【補正方法】変更
【補正の内容】
【００１４】
他の実施例によるバックライトアセンブリの導光板の上に配置される光学シートの製造方法は、第１ベースフィルムの上に光硬化性樹脂を塗布して光硬化性コーティング層を形成する段階と、前記光硬化性コーティング層をパターニングして前記第１ベースフィルムに平行な方向に配列された複数のグルーブ及び隣接するグルーブの間の接触部を形成する段階と、第２ベースフィルムを前記光硬化性コーティングの前記接触部に粘着して前記グルーブをカバーする段階と、前記光硬化性コーティング層を硬化させる段階と、を含む。前記第２ベースフィルムを前記接触部に粘着する段階の前に、前記パターニングされた光硬化性コーティングの粘度を増加させる段階を更に含む。前記第２ベースフィルムを前記接触部に粘着する段階の前に、前記第２ベースフィルムの下面に液状レジンをコーティングする段階と、前記液状レジンを乾燥、加熱、または露光させてプライマーコーティング膜を形成する段階と、を更に含む。